(57)【要約】【課題】板材からの取り外し作業が容易で、水や塵が存在する環境でも利用でき、しかも、２つの部材間に介装された場合に、一方の部材から他方の部材へ振動が伝わるのを抑制可能な固定機構を提供すること。【解決手段】固定具１の固定部３は、取付孔を密閉する状態になって、板材の一方の面側にある水や塵が他方の面側へ入り込むのを防止する閉塞部１５と、支柱部５等を取付孔から引き抜く際には、利用者が操作する操作部としても利用される過挿入防止部２５とを備える。また、過挿入防止部２５は、板材において固定具１を挿入する側に配設されている。閉塞部１５は、外部から伝わる振動を減衰させる制振性エラストマーによって構成されることにより、過挿入防止部２５と一方の面との間に挟み込まれた部分を介して板材および過挿入防止部２５のいずれか一方から他方へ振動が伝わるのを抑制している。【選択図】図３
2010266011.tif 000002
【特許請求の範囲】
【請求項１】
板材を一方の面から他方の面へ貫通する取付孔に前記一方の面側から挿入される本体を、前記板材に対して固定可能な固定機構であって、
前記板材との接触に伴って、その接触箇所に密着する形態に変形する柔軟なエラストマーからなり、前記本体が前記板材に固定された際に前記板材に密着することにより、前記取付孔を密閉する状態になって前記一方の面側にある水や塵が前記他方の面側へ入り込むのを防止する閉塞部と、
前記本体が前記板材に固定された際には、前記板材の前記他方の面に引っかかる第１の位置にあって、前記本体を前記取付孔から引き抜き不能な状態にする一方、利用者からの操作力が伝わると弾性変形して前記第１の位置から前記他方の面に引っかからない第２の位置へと変位することにより、前記本体を前記取付孔から引き抜き可能な状態にする抜止部と、
前記本体が前記板材に固定される際には、前記閉塞部の一部を前記一方の面との間に挟み込んだ状態で前記一方の面に引っかかることにより、前記固定機構が前記取付孔に対する適正な位置よりも奥まで挿入されるのを防止しており、前記本体を前記取付孔から引き抜く際には、利用者が操作する操作部としても利用される過挿入防止部と、
前記抜止部と前記過挿入防止部を連結しており、前記本体を前記取付孔から引き抜くため利用者が前記過挿入防止部を操作した際に、利用者からの操作力を前記過挿入防止部から前記抜止部へと伝える連結部と
を備え、
前記閉塞部は、外部から伝わる振動を減衰させる制振性エラストマーによって構成されることにより、前記過挿入防止部と前記一方の面との間に挟み込まれた部分を介して前記板材および前記過挿入防止部のいずれか一方から他方へ振動が伝わるのを抑制している
ことを特徴とする固定機構。
【請求項２】
前記抜止部は、前記本体が前記板材に固定された際に、前記閉塞部の一部を前記板材の前記他方の面との間に挟み込んだ状態で前記他方の面に引っかかり、
前記閉塞部は、前記抜止部と前記他方の面との間に挟み込まれた部分を介して前記板材および前記抜止部のいずれか一方から他方へ振動が伝わるのを抑制している
ことを特徴とする請求項１に記載の固定機構。
【請求項３】
前記連結部は、前記本体が前記板材に固定された際に、前記閉塞部の一部を前記取付孔の内周面との間に挟み込んだ状態となり、
前記閉塞部は、前記連結部と前記取付孔の内周面との間に挟み込まれた部分を介して前記板材および前記連結部のいずれか一方から他方へ振動が伝わるのを抑制している
ことを特徴とする請求項１または請求項２に記載の固定機構。
【請求項４】
前記閉塞部は、内部に空間部が形成された中空構造にされており、しかも、前記利用者が前記過挿入防止部を操作することによって前記抜止部の位置が前記第１の位置から前記第２の位置へ変位する際に、前記空間部が潰れる構造とされている
ことを特徴とする請求項１および請求項３のいずれかに記載の固定機構。
【発明の詳細な説明】
【技術分野】
【０００１】
本発明は、各種部材を板材に対して固定するために利用される固定機構に関する。
【背景技術】
【０００２】
従来、本願出願人は、下記特許文献１に記載の固定脚部（本発明でいう固定機構に相当。）を備えた固定具を提案している。この固定脚部は、電気機器のシャーシが有する板状の部分やプリント配線板等（以下、これらを総称して板材と呼ぶ。）に固定具を固定するものである。
【０００３】
具体的には、特許文献１に記載の固定脚部を利用すれば、固定具を板材の表側から取付孔に挿し込んだときに、２つの弾性拘止片が板材の裏側に引っかかるとともに、板材の表側に弾性逆止部が圧接する状態となり、これら弾性拘止片と弾性逆止部との間に板材を挟み込むことによって、固定具を板材に固定することができる。
【先行技術文献】
【特許文献】
【０００４】
【特許文献１】実開昭５９−１１９１０号公報
【発明の概要】
【発明が解決しようとする課題】
【０００５】
ところで、特許文献１に記載の固定脚部の場合、利用者が２つの弾性拘止片を指で挟んで互いに近づけるように弾性変形させる操作をすれば、固定具を取付孔から引き抜くことができる。
【０００６】
しかし、例えば、板材の裏側に各種配線や部品類が配設されている場合、それら配線や部品類が邪魔になって、弾性拘止片を指で挟む操作を行うことが困難になることがあり、その場合、固定具を引き抜く作業に手間がかかるという問題があった。
【０００７】
また、例えば、給湯器等の屋外に設置される機器において、特許文献１に記載の固定具を利用すると、雨水あるいは塵やほこりの類が、固定脚部と板材との隙間から入り込んで板材の裏側へ達するおそれがある。そのため、濡れやすい環境やほこりっぽい環境で使用される機器において、水や塵の侵入が問題となりそうな箇所には、特許文献１に記載の固定具を利用することができなかった。
【０００８】
さらに、特許文献１に記載の固定具のように、２つの板材間にスペーサとして介装されると、一方の板材からの振動が固定具を介して他方の板材へと伝わることがあり、他方の板材が振動するのに伴って異音が発生する、といった問題を招くこともあった。
【０００９】
本発明は、上記諸問題を解決するため開発されたものであり、その目的は、板材からの取り外し作業が容易で、水や塵が存在する環境でも利用でき、しかも、２つの部材間に介装された場合に、一方の部材から他方の部材へ振動が伝わるのを抑制可能な固定機構を提供することである。
【課題を解決するための手段】
【００１０】
以下、本発明において、上記目的を達成するために採用した構成について説明する。
本発明の固定機構は、板材を一方の面から他方の面へ貫通する取付孔に前記一方の面側から挿入される本体を、前記板材に対して固定可能な固定機構であって、前記板材との接触に伴って、その接触箇所に密着する形態に変形する柔軟なエラストマーからなり、前記本体が前記板材に固定された際に前記板材に密着することにより、前記取付孔を密閉する状態になって前記一方の面側にある水や塵が前記他方の面側へ入り込むのを防止する閉塞部と、前記本体が前記板材に固定された際には、前記板材の前記他方の面に引っかかる第１の位置にあって、前記本体を前記取付孔から引き抜き不能な状態にする一方、利用者からの操作力が伝わると弾性変形して前記第１の位置から前記他方の面に引っかからない第２の位置へと変位することにより、前記本体を前記取付孔から引き抜き可能な状態にする抜止部と、前記本体が前記板材に固定される際には、前記閉塞部の一部を前記一方の面との間に挟み込んだ状態で前記一方の面に引っかかることにより、前記固定機構が前記取付孔に対する適正な位置よりも奥まで挿入されるのを防止しており、前記本体を前記取付孔から引き抜く際には、利用者が操作する操作部としても利用される過挿入防止部と、前記抜止部と前記過挿入防止部を連結しており、前記本体を前記取付孔から引き抜くため利用者が前記過挿入防止部を操作した際に、利用者からの操作力を前記過挿入防止部から前記抜止部へと伝える連結部とを備え、前記閉塞部は、外部から伝わる振動を減衰させる制振性エラストマーによって構成されることにより、前記過挿入防止部と前記一方の面との間に挟み込まれた部分を介して前記板材および前記過挿入防止部のいずれか一方から他方へ振動が伝わるのを抑制していることを特徴とする。
【００１１】
このような固定機構によれば、利用者が板材の一方の面側に配設されている過挿入防止部を操作すると、利用者からの操作力が過挿入防止部から抜止部へと伝わり、抜止部が弾性変形して第１の位置から第２の位置へと変位し、本体を取付孔から引き抜き可能な状態になる。
【００１２】
したがって、本発明の固定機構によれば、従来のものとは異なり、利用者は、一方の面側で操作を行うことによって本体を取付孔から引き抜くことができるので、板材の他方の面側に各種部品類が配設されていても、本体を板材から取り外す作業を容易に実施することができる。
【００１３】
また、このような固定機構によれば、本体が板材に固定された際に、閉塞部が取付孔を密閉する状態になって一方の面側にある水や塵が他方の面側へ入り込むのを防止する。
したがって、水や塵の侵入を防止できない従来の固定機構とは異なり、一方の面側に水や塵が存在する環境においても、本発明の固定機構を備えた部材を利用することができる。
【００１４】
また、このような固定機構によれば、閉塞部が制振性エラストマーによって構成され、その閉塞部の一部が過挿入防止部と一方の面との間に挟み込まれているので、板材および過挿入防止部のいずれか一方が振動しても、その振動が他方へ伝わりにくくなっている。
【００１５】
したがって、本発明の固定機構であれば、従来のものとは異なり、板材および過挿入防止部のいずれか一方から他方へ振動が伝わるのを抑制している分、従来のものに比べ異音が発生するのを防止できる。
【００１６】
また、本発明の固定機構において、前記抜止部は、前記本体が前記板材に固定された際に、前記閉塞部の一部を前記板材の前記他方の面との間に挟み込んだ状態で前記他方の面に引っかかり、前記閉塞部は、前記抜止部と前記他方の面との間に挟み込まれた部分を介して前記板材および前記抜止部のいずれか一方から他方へ振動が伝わるのを抑制しているものであってもよい。
【００１７】
このような固定機構を利用すれば、板材および抜止部のいずれか一方から他方へ伝わる振動も抑制されるので、抜止部と他方の面との間に制振性エラストマーが挟み込まれていない構造のものに比べ、さらに振動が伝わるのを抑制できる。
【００１８】
また、本発明の固定機構において、前記連結部は、前記本体が前記板材に固定された際に、前記閉塞部の一部を前記取付孔の内周面との間に挟み込んだ状態となり、前記閉塞部は、前記連結部と前記取付孔の内周面との間に挟み込まれた部分を介して前記板材および前記連結部のいずれか一方から他方へ振動が伝わるのを抑制しているものであってもよい。
【００１９】
このような固定機構を利用すれば、板材および連結部のいずれか一方から他方へ伝わる振動も抑制されるので、連結部と取付孔の内周面との間に制振性エラストマーが挟み込まれていない構造のものに比べ、さらに振動が伝わるのを抑制できる。
【００２０】
また、本発明の固定機構において、前記閉塞部は、内部に空間部が形成された中空構造にされており、しかも、前記利用者が前記過挿入防止部を操作することによって前記抜止部の位置が前記第１の位置から前記第２の位置へ変位する際に、前記空間部が潰れる構造とされているものであってもよい。
【００２１】
このような固定機構によれば、閉塞部の内部に空間部が形成されているので、同様の空間部が形成されていない場合に比べ、閉塞部の剛性が低くて変形しやすい構造になる。したがって、利用者が過挿入防止部を操作して、抜止部の位置を第１の位置から第２の位置へ変位させる際、利用者は、より小さな操作力で、抜止部を容易に第２の位置へ変位させることができる。
【図面の簡単な説明】
【００２２】
【図１】（ａ）は本発明の実施形態の固定具が２つの板材に固定された状態を示す斜視図であり、（ｂ）は固定具の斜視図である。
【図２】（ａ）は固定具の硬質部材を示す図であり、（ｂ）は固定具の閉塞部を示す図である。
【図３】固定具を示す図であり、（ａ）はその上面図、（ｂ）はその正面図、（ｃ）はその底面図、（ｄ）はその左側面図、（ｅ）はその右側面図、（ｆ）はその背面図である。
【図４】図１（ａ）と同様の状態を示す図であり、（ａ）はその正面図であり、（ｂ）はそのＡ−Ａ断面図であり、（ｃ）はその右側面図であり、（ｄ）はそのＢ−Ｂ断面図である。
【発明を実施するための形態】
【００２３】
次に、本発明の実施形態について、一例を挙げて説明する。
本実施形態において例示する固定具１は、図１（ａ）に示すように、電気機器の筐体が有するパネル５０に対して、プリント配線板５５を固定するために利用される部品である。
【００２４】
この固定具１は、図１（ｂ）に示すように、固定部３、支柱部５、および保持部７を備える。固定部３は、支柱部５の一端側に形成されており、この固定部３によって固定具１がパネル５０に対して固定される。また、保持部７は、支柱部５の他端側に形成されており、この保持部７によってプリント配線板５５が保持される。
【００２５】
また、この固定具１は、図２（ａ）に示すような形状の硬質樹脂部材１１を成型してから、この硬質樹脂部材１１に対して、図２（ｂ）に示すような形状の閉塞部１５を射出成形（いわゆるアウトサート成形）で付加した構造になっている。硬質樹脂部材１１は、ポリアミド等のプラスチックによって形成されている。閉塞部１５は、スチレン系エラストマーをベースにして粘着付与樹脂や可塑剤等の成分を配合することにより、その損失係数ｔａｎδが少なくとも０．５以上（望ましくは１．０以上）となるように調製された制振性エラストマーによって形成されている。
【００２６】
次に、固定部３および保持部７の詳細について、図３および図４を用いて説明する。
固定部３は、閉塞部１５、抜止部２２、過挿入防止部２５、および連結部２７から構成されている。
【００２７】
閉塞部１５は、第１延出部１６、胴部１７、および第２延出部１８を有し、閉塞部１５の内部には空間部１９が形成されている。この閉塞部１５は、上述のとおり、制振性エラストマーによって形成されており、パネル５０との接触時には、その接触箇所に密着する形態に変形する。より詳しくは、図４（ｂ）に示すように、支柱部５および保持部７がパネル５０に固定された際に、第１延出部１６は、パネル５０の表面５０ａに密着し、胴部１７は、取付孔５２の内周面に密着し、第２延出部１８は、パネル５０の裏面５０ｂに密着する。
【００２８】
抜止部２２は、図３に示すように、支柱部５から二股に分かれた形状に延設された第１抜止片２２ａおよび第２抜止片２２ｂを有する。
第１抜止片２２ａおよび第２抜止片２２ｂは、図４（ｄ）に示すように、支柱部５および保持部７がパネル５０に固定された際に、閉塞部１５の第１延出部１６の一部をパネル５０の裏面５０ｂとの間に挟み込んだ状態で裏面５０ｂに引っかかる。このように第１抜止片２２ａおよび第２抜止片２２ｂが引っかかった場合に、支柱部５および保持部７は、取付孔５２から引き抜き不能な状態になる。
【００２９】
また、第１抜止片２２ａおよび第２抜止片２２ｂは、利用者からの操作力が伝わると、互いに近づくように弾性変形して、裏面５０ｂに引っかからなくなる。このように第１抜止片２２ａおよび第２抜止片２２ｂが引っかからなくなった場合に、支柱部５および保持部７は、取付孔５２から引き抜き可能な状態になる。
【００３０】
過挿入防止部２５は、図３に示すように、第１過挿入防止片２５ａおよび第２過挿入防止片２５ｂを有する。
第１過挿入防止片２５ａおよび第２過挿入防止片２５ｂは、図４（ｄ）に示すように、支柱部５および保持部７がパネル５０に固定される際に、閉塞部１５の第２延出部１８の一部をパネル５０の裏面５０ｂとの間に挟み込んだ状態で裏面５０ｂに引っかかる。この第１過挿入防止片２５ａおよび第２過挿入防止片２５ｂが引っかかることによって、固定部３が取付孔５２に対する適正な位置よりも奥まで挿入されるのが防止される。
【００３１】
また、過挿入防止部２５は、支柱部５および保持部７を取付孔５２から引き抜く際には、利用者が操作する操作部としても利用される部分でもある。
連結部２７は、図４（ｄ）に示すように、第１連結片２７ａおよび第２連結片２７ｂを有する。第１連結片２７ａは、第１抜止片２２ａと第１過挿入防止片２５ａを連結し、第２連結片２７ｂは、第２抜止片２２ｂと第２過挿入防止片２５ｂを連結する。
【００３２】
また、連結部２７は、支柱部５および保持部７を取付孔５２から引き抜くため利用者が過挿入防止部２５を操作した際に、利用者が過挿入防止部２５に加えた操作力を過挿入防止部２５から抜止部２２へと伝える。
【００３３】
保持部７は、係止部３１、および当接部３５から構成されている。
係止部３１は、図３に示すように、第１係止片３１ａおよび第２係止片３１ｂを有する。第１係止片３１ａおよび第２係止片３１ｂは、図４（ｄ）に示すように、プリント配線板５５が取り付けられた際に、プリント配線板５５の表面５５ａに引っかかる。このように第１係止片３１ａおよび第２係止片３１ｂが引っかかることによって、プリント配線板５５が保持部７から取り外し不能になる。
【００３４】
また、第１係止片３１ａおよび第２係止片３１ｂは、利用者に操作されると、互いに近づくように弾性変形可能に構成されている。
当接部３５は、図４（ｄ）に示すように、プリント配線板５５が取り付けられた際に、プリント配線板５５の裏面５５ｂに引っかかることにより、プリント配線板５５が適正な保持位置よりも固定部３に近づくように変位するのを防止する部分である。
【００３５】
次に、上述の固定具１の使用方法について説明する。
この固定具１を使ってプリント配線板５５をパネル５０に固定する場合、まず、利用者は、固定具１をパネル５０に取り付ける作業を行う。
【００３６】
その手順としては、固定具１の保持部７が形成されている方の先端が、パネル５０の取付孔５２に嵌り込むように位置を合わせる。そして、固定部３が形成された側から押圧力を加えて、固定具１を取付孔５２から押し込む。
【００３７】
こうすると、第１抜止片２２ａおよび第２抜止片２２ｂは、取付孔５２を通過可能な程度まで、互いに近づくように弾性変形して、取付孔５２を通過する。そして、取付孔５２を通過すると、弾性変形していた部分の形状が復元し、その結果、第１抜止片２２ａおよび第２抜止片２２ｂは、閉塞部１５の第１延出部１６の一部をパネル５０の裏面５０ｂとの間に挟み込んだ状態で、裏面５０ｂに引っかかる。
【００３８】
また、このとき、閉塞部１５の第１延出部１６が、パネル５０の表面５０ａに密着し、表面５０ａ側にある水や塵が裏面５０ｂ側へ入り込むのを防止する状態になる。
次に、利用者は、固定具１にプリント配線板５５を取り付ける作業を行う。
【００３９】
その手順としては、利用者は、パネル５０に固定された固定具１の保持部７の先端に、プリント配線板５５の貫通孔５７が嵌るように位置を合わせて、プリント配線板５５を固定具１に対して押し込む。
【００４０】
こうすると、第１係止片３１ａおよび第２係止片３１ｂは、貫通孔５７を通過可能な程度まで、互いに近づくように弾性変形して、貫通孔５７を通過する。そして、貫通孔５７を通過した後、弾性変形していた部分の形状が復元し、その結果、第１係止片３１ａおよび第２係止片３１ｂ、プリント配線板５５の表面５５ａに引っかかり、これにより、プリント配線板５５のパネル５０に対する取り付けが完了する。
【００４１】
一方、固定具１およびプリント配線板５５をパネル５０から取り外す場合、まず、利用者は、保持部７からプリント配線板５５を取り外す作業を行う。
その手順としては、利用者は、係止部３１の第１係止片３１ａと第２係止片３１ｂを指で挟んで互いに近づけるように弾性変形させる。そして、第１係止片３１ａと第２係止片３１ｂを、プリント配線板５５の貫通孔５７を通過可能な程度まで互いに近づけて、プリント配線板５５を保持部７から取り外す。
【００４２】
次に、利用者は、支柱部５および保持部７をパネル５０から引き抜く作業を行う。
その手順としては、利用者は、第１過挿入防止片２５ａと第２過挿入防止片２５ｂを指で挟んで、互いに近づけるように操作する。このとき、第１連結片２７ａおよび第２連結片２７ｂは、第１過挿入防止片２５ａおよび第２過挿入防止片２５ｂとともに互いに近づく方向に変位し、これにより、利用者の操作力が第１抜止片２２ａおよび第２抜止片２２ｂへと伝わる。
【００４３】
また、このように第１過挿入防止片２５ａ、第２過挿入防止片２５ｂ、第１連結片２７ａ、第２連結片２７ｂ、第１抜止片２２ａ、および第２抜止片が変位すると、閉塞部１５が変形して閉塞部１５の空間部１９が潰される。そのため、このような空間部が形成されていない場合に比べ、閉塞部１５の剛性が低くて変形しやすいので、利用者は、より小さな操作力で、抜止部２２を容易に変位させることができる。
【００４４】
このような操作により、第１抜止片２２ａと第２抜止片２２ｂを、パネル５０の取付孔５２を通過可能な程度まで互いに近づけたら、後はそのまま固定具１を手前に引っ張るだけで、支柱部５および保持部７を取付孔５２から引き抜くことができる。
【００４５】
以上説明したような固定部３であれば、従来のものとは異なり、利用者は、パネル５０の表面５０ａ側で過挿入防止部２５の操作を行うことによって、支柱部５および保持部７を取付孔５２から引き抜くことができるので、パネル５０の裏面５０ｂ側に各種部品類が配設されていても、支柱部５および保持部７をパネル５０から取り外す作業を容易に実施することができる。
【００４６】
また、このような固定部３であれば、支柱部５および保持部７がパネル５０に固定された際に、閉塞部１５が取付孔５２を密閉する状態になって表面５０ａ側にある水や塵が他方の面側へ入り込むのを防止する。したがって、水や塵の侵入を防止できない従来のものとは異なり、表面５０ａ側に水や塵が存在する環境においても、固定具１を利用することができる。
【００４７】
また、このような固定部３であれば、閉塞部１５が制振性エラストマーによって構成され、その閉塞部１５の一部が、過挿入防止部２５とパネル５０の表面５０ａとの間、抜止部２２とパネル５０の裏面５０ｂとの間、および連結部２７と取付孔５２の内周面との間に挟み込まれている。したがって、従来のものとは異なり、パネル５０および固定部３のいずれか一方から他方へ振動が伝わるのを抑制している分、従来のものに比べ異音が発生するのを防止できる。
【００４８】
以上、本発明の実施形態について説明したが、本発明は上記の具体的な一実施形態に限定されず、この他にも種々の形態で実施することができる。
上記の実施形態では、固定部３は、閉塞部１５の一部が、過挿入防止部２５とパネル５０の表面５０ａとの間、抜止部２２とパネル５０の裏面５０ｂとの間、および連結部２７と取付孔５２の内周面との間の３箇所で挟み込まれていたが、挟み込まれる箇所は、これに限定されるものではない。例えば、過挿入防止部２５とパネル５０の表面５０ａとの間において閉塞部１５の一部が挟み込まれていれば、これだけでも相応に防振効果を発揮するものとなる。また、これに加えて、抜止部２２と裏面５０ｂとの間、または連結部２７と取付孔５２の内周面との間のうち、いずれかにおいて閉塞部１５の一部が挟み込まれることで、２箇所において閉塞部１５の一部が挟み込まれていても、相応に防振効果を発揮するものとなる。
【００４９】
上記の実施形態では、固定具１は、パネルに固定されるとともにプリント配線板を保持する、という態様に利用されていたが、固定される部材および保持する部材は、これに限定されるものではない。例えば、２つのプリント配線板を固定する用途に利用することができる。
【符号の説明】
【００５０】
１・・・固定具、３・・・固定部、５・・・支柱部、７・・・保持部、１１・・・硬質樹脂部材、１５・・・閉塞部、１６・・・第１延出部、１７・・・胴部、１８・・・第２延出部、１９・・・空間部、２２・・・抜止部、２２ａ・・・第１抜止片、２２ｂ・・・第２抜止片、２５・・・過挿入防止部、２５ａ・・・第１過挿入防止片、２５ｂ・・・第２過挿入防止片、２７・・・連結部、２７ａ・・・第１連結片、２７ｂ・・・第２連結片、３１・・・係止部、３１ａ・・・第１係止片、３１ｂ・・・第２係止片、３５・・・当接部、５０・・・パネル、５２・・・取付孔、５５・・・プリント配線板、５７・・・貫通孔。
【図１】
2010266011.tif 000003
【図２】
2010266011.tif 000004
【図３】
2010266011.tif 000005
【図４】
2010266011.tif 000006